(57)【要約】      （修正有）【課題】鳴子バチの大小や形状及び材質にかかわらず、どのような鳴子でも必要不可欠な鳴子バチを発光させ、昼夜を問わず祭りや踊りを賑やかにかつ豪華に演出し、踊りに躍動感をもたせる。【解決手段】鳴子本体４の鳴子バチ１に、発電モジュールスティックに発光ダイオードを付した発光用スティックを、鳴子バチ１の中央部付近に埋め込んだ鳴子バチ１又は発光用スティックを、鳴子バチ１の表面付近に埋め込んだ鳴子バチ１を鳴子本体に遊着する。【選択図】図１
0003104627.tif 000002
【実用新案登録請求の範囲】
【請求項１】
鳴子バチ（１）に発光ダイオード（３）を付した発電モジュールスティック（２）を装着した発光用部品を鳴子本体（図１）に遊着し、発光ダイオード（３）を発光させることを特徴とした発光式鳴子バチ。
【請求項２】
図１の鳴子本体に遊着されている鳴子バチ（１）に発光ダイオード（３）を付した発電モジュールスティック（２）を鳴子バチ（１）の中心付近に埋め込み，鳴子を振ることによって発生した鳴子バチ（１）の振動を感知して発電し、発光ダイオード（３）に通電することによって発光ダイオード（３）が点滅することを構成した請求項１に記載の発光式鳴子バチ。
【請求項３】
鳴子本体（図１）に遊着されている鳴子バチ（１）に発光ダイオード（３）を付した発電モジュールスティック（２）を鳴子バチ（１）の表面に埋め込み，鳴子を振ることによって発生した鳴子バチ（１）の振動を感知して発電し、発光ダイオード（３）に通電することによって発光ダイオード（３）が点滅することを構成した請求項１に記載の発光式鳴子バチ。
【考案の詳細な説明】
【技術分野】
【０００１】
本考案は祭りの際、踊り等でリズム取り等に使用する鳴子に関する。
【背景技術】
【０００２】
従来から、祭りや踊り等で使用する鳴子は、手で握って振るたびに鳴子板に鳴子バチがあたることによって音を発生し、踊りにリズムをつけ、賑やかにし、調子をとる道具として使用されているものが一般的な鳴子であり、現在鳴子本体に様々な改良を加えて発光する鳴子が考案されているが、鳴子本体が発光するものがほとんどであり、鳴子に関する部品の中で最も重要な部品であり，改良を加えることが困難である鳴子バチが発光する鳴子がないため考案した発光式鳴子バチ。
【０００３】
【特許文献１】実用新案登録第３０８９０２８号公報
【考案の開示】
【考案が解決しようとする課題】
【０００４】
現在考案されている発光する鳴子は鳴子本体に発光用部品を設けて鳴子本体の一部が発光するものがほとんどであり、鳴子バチを発光させるには鳴子バチが常に激しい動きであり、発光用部品を装着した鳴子本体と鳴子バチとの接続がむずかしく、鳴子バチを発光させるには技術的に困難であるため考案されておらず、できる限り部品点数を減少させるとともに、鳴子バチの大小や形状及び材質にかかわらず、どのような鳴子でも必要不可欠な鳴子バチを発光させ、昼夜を問わず祭りや踊りをさらに賑やかにかつ豪華に演出し踊りに躍動感をもたせるために考案した発光式鳴子バチである。
【課題を解決するための手段】
【０００５】
本考案はこの点に鑑み、現在考案されている発光する鳴子とは違い、鳴子本体への加工を施すことなく、図２の発光ダイオード（３）を付した発電モジュールスティック（２）を組み込んだ鳴子バチを装着することによって、接続部分を必要としないよう、技術的に困難であった問題点を解消し、発光用部品点数の減少、故障の減少、軽量化、メンテナンスの簡素化、部品脱着を容易にしたものであり、踊り子が長時間使用でき、顧客が購入しやすく、昼間は観客の目を引き、夜間は祭りや踊りをさらに賑やかに、かつ豪華に演出し踊りに躍動感をもたせるために考案した発光式鳴子バチである。
【考案の効果】
【０００６】
本考案は、発電モジュールスティック（２）を使用して自家発電するため、電池交換が不要であり、軽量化されることにより、踊り子達が長時間の使用に耐えられるようになる。また、加工工程の減少とともに部品点数が少なく、構造が簡単で故障が減少し、最も動きの激しい鳴子バチに発光用スティックを装着し、鳴子バチの振動を最も大きく感知するため、発光ダイオードの輝度を最大限発揮でき、発光ダイオードの発光色、輝度等の様々な変化により各踊り子隊が、それぞれのチームのもつ個性や特徴をより強調することにより、踊り子個人の個性や特徴を発揮でき、祭りや踊りをさらに賑やかにかつ豪華に演出し、踊りに躍動感をもたせるために考案した発光式鳴子バチ。
【考案を実施するための最良の形態】
【０００７】
本考案は図１の鳴子本体の鳴子バチ（１）に、図２の発電モジュールスティック（２）に発光ダイオード（３）を付した発光用スティックを、図３を参照して、鳴子バチ（１）の中央部付近に埋め込んだ鳴子バチ（１）又は図２の発光用スティックを、図４を参照して、鳴子バチ（１）の表面付近に埋め込んだ鳴子バチ（１）を図１の鳴子本体に遊着するものである。この発光式鳴子バチは鳴子バチに図２の発光用スティックを付したもので構成されており、鳴子本体（４）を振り、鳴子を振ることによって鳴子バチ（１）が図１の鳴子本体（４）に当たり、発電モジュールスティック（２）が振動を感知するたびに発電し、発光ダイオード（３）に通電して点滅する発光式鳴子バチ。
【０００８】
部品点数が大幅に減少するため、本来の鳴子の本質を損なうことなく、非常に軽量となり踊り子達への負担が軽減され長時間使用することが可能となる。
【０００９】
従来の鳴子本体及び鳴子バチの材質は一般的に木製部品を多く使用するが、本考案の鳴子バチは合成樹脂製品でも木製品と同様の効果があり、本考案の範囲にある。
【００１０】
従来の鳴子は羽子板型のものが一般的な鳴子であるが、現在は様々な形状の鳴子が出回っており、鳴子バチは全ての鳴子に装着されている必要不可欠なものであり、本考案は鳴子の様々な形状の相違や大小、又鳴子バチの様々な形状の相違や大小、及び両面打ち、片面打ちにかかわらず同様の効果があり、本考案の範囲にある。
【００１１】
本考案は発光用部品を装着しても本来の鳴子の形状や本質を損なうことのないように考案した発光式鳴子バチであり、この発電モジュールスティックは鳴子本体及び鳴子バチの側面や底面に装着することによっても同様の効果があり、本考案の範囲にある。
【実施例】
【００１２】
図１は両面打ち羽子板型鳴子の斜視図であり、鳴子本体に握り部分があり、この握り部分を握り、踊りのリズムをとる従来の鳴子である。図３及び図４は発光式鳴子バチの断面図及び正面の平面図であり、図３は鳴子バチの中央付近に発光装置を埋め込んだ鳴子バチ（１）であり、図４は鳴子バチの表面に発光装置を埋め込んだ鳴子バチ（１）であり、図３又は図４の鳴子バチいずれかを図1の鳴子本体に遊着し、鳴子本体を振ることによって動いた鳴子バチの振動を発電モジュールスティック（２）が感知することにより発電し、発光ダイオード（３）に通電して発光ダイオード（３）が点滅するための発光用部品を装着した発光式鳴子バチ。
【００１３】
本考案の発光式鳴子バチは発光ダイオードの発光色、輝度等を変えることにより様々な変化が得られ、踊り子や踊り子隊の個性や特徴を引き出すことによって、昼夜を問わず、賑やかにかつ豪華に演出し、踊りに躍動感をもたせることのできる発光式鳴子バチであり、発光用部品を鳴子バチに装着しても本来の鳴子の形状や本質を損なうことのないように考案した発光式鳴子バチである。
【図面の簡単な説明】
【００１４】
【図１】羽子板式鳴子の表面の斜視図
【図２】発電モジュールスティックに発光ダイオードを付した発光用スティックの斜視図及び断面図
【図３】鳴子バチの中央付近に発光ダイオードを付した発電モジュールスティックを埋め込んだ鳴子バチの断面及び正面の平面図
【図４】鳴子バチの表面に発光ダイオードを付した発電モジュールスティックを堀込んだ鳴子バチの断面及び正面の平面図
【符号の説明】
【００１５】
（１）鳴子バチ
（２）発電機能および振動感知センサー機能を備えた発電モジュールスティック
（３）発光ダイオード
（４）鳴子本体
【図１】
0003104627.tif 000003
【図２】
0003104627.tif 000004
【図３】
0003104627.tif 000005
【図４】
0003104627.tif 000006
【手続補正書】
【提出日】平成16年4月30日(2004.4.30)
【手続補正１】
【補正対象書類名】実用新案登録請求の範囲
【補正対象項目名】全文
【補正方法】変更
【補正の内容】
【実用新案登録請求の範囲】
【請求項１】
鳴子バチ（１）に発光ダイオード（３）を付した発電モジュールスティック（２）を装着した発光用部品を鳴子本体に遊着し、発光ダイオード（３）を発光させることを特徴とした発光式鳴子バチ。
【請求項２】
発光ダイオード（３）を付した発電モジュールスティック（２）を鳴子バチ（１）の中心付近に埋め込んで鳴子本体に遊着し、鳴子を振ることによって発生した鳴子バチ（１）の振動を感知して発電し、発光ダイオード（３）に通電することによって発光ダイオード（３）が点滅することを構成した請求項１に記載の発光式鳴子バチ。
【請求項３】
発光ダイオード（３）を付した発電モジュールスティック（２）を鳴子バチ（１）の表面に埋め込んで鳴子本体に遊着し、鳴子を振ることによって発生した鳴子バチ（１）の振動を感知して発電し、発光ダイオード（３）に通電することによって発光ダイオード（３）が点滅することを構成した請求項１に記載の発光式鳴子バチ。